(57)【特許請求の範囲】
【請求項１】
検体検査装置の駆動源として用いられる検体検査装置用エアポンプ装置であって、
空気の吸引と吐出を行うエアポンプ本体と、エアポンプ本体が固定用弾性体を介して載せられる第１中板と、エアポンプ本体の上方にある第２中板と、前記第１中板と前記第２中板によって仕切られた箱体と、を備え、
箱体が、箱体と前記第１中板に仕切られた第１層の部屋と、前記第１中板と第２中板に仕切られた第２層の部屋と、前記箱体と第２中板に仕切られた第３層の部屋を備え、
前記第１層の部屋および前記第３層の部屋はそれぞれ外部との空気口を備え、
エアポンプ本体の廃熱を箱体外へ排出するファンを直接、前記第１中板および前記第２中板のいずれか一方に備え、
前記ファンと前記空気口との間に位置するように設置される消音部材を備え、前記ファンからの空気を、消音部材を介して前記空気口から排出することを特徴とする検体検査装置用エアポンプ装置。
【請求項２】
さらに、第１中板の上面と、第２中板の下面と、箱体の内側と、に吸音スポンジを備えたことを特徴とする請求項１記載のエアポンプ装置。
【請求項３】
第１中板に第１ファンを、第２中板に第２ファンを備えることを特徴とする請求項１記載のエアポンプ装置。
【請求項４】
第２ファンが、第３層の部屋の空気口から取り入れた空気を第１中板と第２中板の間に供給する機能を備え、第１ファンが第１中板と第２中板の間の空気を第１層の部屋の空気口を介して排出する機能を備えることを特徴とする請求項３記載のエアポンプ装置。
【請求項５】
前記吸音スポンジがファンの形状に合わせて切り欠いてあることを特徴とする請求項２記載のエアポンプ装置。
【発明の詳細な説明】
【０００１】
【発明の属する技術分野】
本発明は、エアポンプから発生する騒音が外部に漏れることを少なくしたエアポンプ装置に関する。
【０００２】
【従来の技術】
この発明に関連する従来技術として、空気を吐出するエアポンプ本体と、このエアポンプ本体を載せるように固定用弾性体を介して固定する中板と、エアポンプ本体からの吐出空気を受け入れる空気通路および吐出空気を排出する排出管を有する下ケーシングと、下ケーシングと合致して固定されエアポンプ本体を覆うように形成される上ケーシングとを備えたエアポンプ装置において、下側が開放され、上側が閉塞された箱体状の遮音ケースを前記上ケーシングの内側において前記エアポンプ本体を覆うように前記中板または下ケーシングに固定したことを特徴とするエアポンプ装置が知られている（特開２００１−３２９９５５）。
【０００３】
【発明が解決しようとする課題】
従来、検体検査装置における駆動源としてエアポンプが良く使用されている。エアポンプから吸引または吐出する空気は、検体試料の吸引、検体試料の移送、それらを制御するためのバルブ等に利用されている。
【０００４】
検体検査装置用のエアポンプとしては、ピストン式エアポンプが良く使用されている。ピストン式エアポンプは、交流モータとそれに連結するピストンを備え、この交流モータを交流電源により駆動することにより、ピストンを往復運動させ、空気を吸引、吐出をする構成である。
【０００５】
そのような往復運動により空気を吸引、吐出する構造のエアポンプは振動および騒音レベルが高い。エアポンプ部の固定は、振動防止策として防振構造を有するバネ製品による固定構造としている。騒音低減策としてエアポンプ部を透過損失の高い吸音スポンジを内部に貼り付けた箱体で覆うことにより、外部への音の透過を防止する構造としている。
【０００６】
しかしながら、エアポンプ本体の駆動により発生する廃熱が箱体内部にこもるため、ファンなどにより廃熱を箱体外部へ排出する必要があった。そのため、せっかく箱体で覆っても廃熱を排出するときに、音が漏れてしまう問題点があった。そのため、排出部に防音ダクト等の部品を取り付ける必要があり、高価になってしまい、また透過損失もわずかしか増えないのが現状である。
【０００７】
本発明の目的は、安価で更なる騒音値の引き下げが可能なエアポンプ装置を提供することを課題とするものである。
【０００８】
【課題を解決するための手段】
本発明の検体検査装置用エアポンプ装置は、検体検査装置の駆動源として用いられる検体検査装置用エアポンプ装置であって、空気の吸引と吐出を行うエアポンプ本体と、エアポンプ本体が固定用弾性体を介して載せられる第１中板と、エアポンプ本体の上方にある第２中板と、前記第１中板と前記第２中板によって仕切られた箱体とを備えたエアポンプ装置において、箱体が、箱体と前記第１中板に仕切られた第１層の部屋と、前記第１中板と第２中板に仕切られた第２層の部屋と、前記箱体と第２中板に仕切られた第３層の部屋を備え、前記第１層の部屋および前記第３層の部屋はそれぞれ外部との空気口を備え、エアポンプ本体の廃熱を箱体外へ排出するファンを直接、前記第１中板および前記第２中板のいずれか一方に備え、前記ファンと前記空気口との間に位置するように設置される消音部材を備え、前記ファンからの空気を消音部材を介して前記空気口から排出することを特徴とする。ここで、第１中板と第２中板は鉄板で構成できるが、アルミ板で構成しても良い。また、固定用弾性体は防振用ゴムで構成しても良いし、好ましくはバネで構成するのが良い。
【０００９】
本発明のエアポンプ装置は、さらに、第１中板の上面と、第２中板の下面と、箱体の内側と、に消音部材を備えたことが好ましい。
【００１０】
また、消音部材が吸音スポンジであることが好ましい。
【００１１】
第１中板に第２ファンを、第２中板に第１ファンを備えることが好ましく、  さらに、第２ファンが第１中板と第２中板の間に空気を供給する機能と、第１ファンが第１中板と第２中板の間から空気を排出する機能とを備えることが好ましい。
【００１２】
【実施例】
以下、図面に示す実施例に基づいてこの発明を詳述する。これによってこの発明が限定されるものではない。
【００１３】
図１は本発明のエアポンプ装置からコの字状のカバーを外した正面図であり、図２はエアポンプ装置からコの字状のカバーを外した側面図である。エアポンプ装置は、コの字状カバー（図示せず）と筺体１と一体となって、箱体を形成している。コの字状カバーの内側には吸音スポンジが貼り付けてあり、筺体１にも吸音スポンジジ２、３が貼り付けてあり、箱体を形成して防音壁を構成している。
【００１４】
筺体１は３部屋に仕切るように、中板４と中板５からが取り付けられ、３層構造となっている。以下、中板４の上方に形成された層を第１層の部屋、中板４と中板５の間に形成された層を第２層の部屋、中板５の下方に形成された層を第３層の部屋と呼ぶ。
中板４の下面には吸音スポンジ６、中板５の上面には吸音スポンジ７が、それぞれ貼り付けられている。吸音スポンジ７を円板状に切欠き、中板５に直接取り付けられた円板（図示せず）とエアポンプ本体１１に取り付けられた円板８との間にコイルばね９が嵌め込まれている。中板５とコイルばね９を介してエアポンプ本体１１が固定されているので、エアポンプ本体１１の振動を減衰させることが可能であり、エアポンプ本体１１から発生する振動音を小さくできる。また、エアポンプ本体１１からの騒音は、エアポンプ本体１１が、第２層の部屋に位置することと、エアポンプ本体１１の周りの吸音スポンジにより、外部へ漏れ難くなっている。
【００１５】
エアポンプ本体１１は圧縮空気を製造する圧縮空気製造エアポンプ１２と陰圧空気を製造する陰圧製造エアポンプ１３の２連のエアポンプからなる。圧縮空気製造エアポンプ１２には、空気吐出口１４に取り付けられたニップル１５を介してチューブ１６が取り付けられている。チューブ１６は分岐部材１９によって、チューブ１７とチューブ１８の２流路に分けられ、チューブ１７は圧力調整部３１に繋がり、チューブ１８は圧縮空気供給口３２に繋がり圧縮空気を供給する。陰圧製造エアポンプ１３には、空気吐出口１４に対向する位置に空気吸引口（図示せず：図１紙面裏側）に取り付けられたニップル（図示せず：図１紙面裏側）を介してチューブ２０が取り付けられている。チューブ２０は陰圧空気供給口３３（図２）に繋がり、陰圧空気を供給する。圧縮空気供給口３２と陰圧空気供給口３３は第１層の部屋を介して外部に設けられているため、エアポンプ本体１１からの騒音が直接外部に漏れ難くなっている。
【００１６】
エアポンプ本体１１から発生する廃熱を排出するために、中板４に直接ファン２１、中板５に直接ファン２２がエアポンプ本体１１を中心に対向して取り付けられている。中板４と吸音スポンジ６はファン２１の形状に合わせて切り欠いてあり、中板５と吸音スポンジ７はファン２２の形状に合わせて切り欠いてある。ファン２１には吸音スポンジ２３、ファン２２には吸音スポンジ２４が当接するように取り付けられている。ファン２１は、第１層の部屋の空気取り入れ口２５から空気を取り入れ、吸音スポンジ２３を介してエアポンプ本体１１に空気を供給し、ファン２２は第３層の部屋に開けられた空気排出口２６から吸音スポンジ２４を介して廃熱を含んだ空気を排出する。第１層の部屋に空気取り入れ口２５、第３層の部屋に空気排出口２６を設けているため、第２層の部屋に設置されているエアポンプ本体１１からの騒音は、第１層の部屋、第３層の部屋でそれぞれ減音されるので、直接外部に漏れ難くなっている。また、ファン２１に当接している吸音スポンジ２３、ファン２２に当接している吸音スポンジ２４により、エアポンプ本体１１の騒音が吸音され、外部に音が漏れ難くなっている。
【００１７】
筺体１には、エアポンプ本体１１の電源部に電気を供給するコンセント２７、エアポンプ本体を制御するための信号を送る信号ケーブル２８が第３層の部屋を介して外部に設けられている。そのため、エアポンプ本体１１からの騒音は、第３層の部屋で減音されるので、直接外部に漏れ難くなっている。
【００１８】
【発明の効果】
本発明は、箱体を三層構造とし、中心の層（部屋）にエアポンプ本体を設置し、中心の層（部屋）からエアポンプ本体からの騒音を直接外部に漏れない構造としたため、安価で騒音レベルの低いエアポンプ装置を得ることが可能となった。
【図面の簡単な説明】
【図１】本発明のエアポンプ装置の正面図である。
【図２】本発明のエアポンプ装置の側面図である。
【符号の説明】
１筺体
２、３、６、７、２３、２４  吸音スポンジ
４、５  中板
８  円板
９  コイルばね
１１  エアポンプ本体
１２  圧縮空気製造エアポンプ
１３  陰圧空気製造エアポンプ
１６、１７、１８、２０  チューブ
１９  分岐部材
２１、２２  ファン
２５  空気取り入れ口
２６  空気排出口
２７  コンセント
２８  信号ケーブル
【図１】
0004099335.tif 000002
【図２】
0004099335.tif 000003